(57)【要約】【課題】液体収容袋を加圧する場合、液体収容袋内の液体残量が少なくなるほど大きな加圧力が得られるとともにそのために特別な制御や、複雑な機構を用いずに液体収容袋に適正な加圧力を加えることができる液体加圧方法、液体吐出装置、及び液体カートリッジを提供する。【解決手段】プリンタはインクカートリッジ部２５内にはインクパック４０を加圧する加圧板６２と、磁力による吸引により加圧板６２をインクパック４０を加圧する方向に作動させる磁力作用部材６３が設けられ、磁力作用部材６３を磁力により吸引作動させる吸引部材７０を備える。【選択図】図２
2007253457.tif 000002
【特許請求の範囲】
【請求項１】
加圧部材により液体を収容する液体収容袋を加圧して該液体収容袋から液体を外部に供給する液体加圧方法において、
前記加圧部材に磁力作用部を設け、前記液体収容袋を挟んで前記加圧部材と反対側には前記磁力作用部との間に磁界を発生させる吸引部材を配置し、
前記加圧部材に設けられた磁力作用部を磁力によって前記吸引部材側へ吸引作動させることにより前記液体収容袋を加圧し、該液体収容袋の液体残量が少なくなるほど該液体収容袋への前記加圧部材の加圧力が増加することを特徴とする液体加圧方法。
【請求項２】
液体タンク内に液体を収容する液体収容袋が配置され、前記液体収容袋が加圧されることにより前記液体を液体噴射ヘッドに供給する液体吐出装置において、
前記液体タンク内には前記液体収容袋を加圧する加圧部材と、磁力による吸引により前記加圧部材を前記液体収容袋を加圧する方向に作動させる磁力作用部材とが設けられ、
前記磁力作用部材を磁力により吸引作動させる吸引部材を備えたことを特徴とする液体吐出装置。
【請求項３】
前記液体タンクは、前記液体収容袋、前記加圧部材、及び前記磁力作用部材を収納するカートリッジ本体を含む液体カートリッジと、該カートリッジ本体を着脱自在に保持するカートリッジホルダを含むことを特徴とする請求項２に記載の液体吐出装置。
【請求項４】
カートリッジ本体が液体吐出装置に着脱可能とされ、該カートリッジ本体内には液体を収容する液体収容袋を備え、前記液体収容袋が加圧されることにより前記液体を液体吐出装置に供給する液体カートリッジにおいて、
前記カートリッジ本体内には、前記液体収容袋を加圧する加圧部材と、
磁力の作用により前記加圧部材を、前記液体収容袋を加圧する方向に作動させる磁力作用部材が設けられたことを特徴とする液体カートリッジ。
【請求項５】
前記磁力作用部材が磁石であることを特徴とする請求項４に記載の液体カートリッジ。
【請求項６】
前記加圧部材を液体収容袋を加圧する方向へ付勢する付勢部材を備えたことを特徴とする請求項４又は請求項５に記載の液体カートリッジ。
【請求項７】
前記加圧部材は、前記液体収容袋を間にするようにして該液体収容袋を挟圧自在に一対設けられ、
一方の加圧部材には、前記磁力作用部材が設けられ、
他方の加圧部材には、前記磁力作用部材を吸引する吸引部材が設けられていることを特徴とする請求項４又は請求項６に記載の液体カートリッジ。
【請求項８】
請求項４乃至請求項６のいずれか１項に記載の液体カートリッジを着脱自在に装着するカートリッジホルダを備えた液体吐出装置において、
前記カートリッジホルダに、液体カートリッジの磁力作用部材を磁力により吸引する吸引部材を設けたことを特徴とする液体吐出装置。
【請求項９】
前記吸引部材は、永久磁石であることを特徴とする請求項８に記載の液体吐出装置。
【請求項１０】
前記永久磁石は、カートリッジ本体の磁力作用部材に対して近位に位置する近位位置と前記磁力作用部材に対して遠位に位置する遠位位置を移動自在に配置され、
前記液体収容袋を加圧する際には、近位位置に前記永久磁石を移動するとともに前記液体収容袋の非加圧時には、遠位位置に前記永久磁石を移動する移動手段を備えたことを特徴とする請求項９に記載の液体吐出装置。
【請求項１１】
前記吸引部材は、電磁石であることを特徴とする請求項８に記載の液体吐出装置。
【請求項１２】
前記液体収容袋は、前記液体タンクに対して交換自在に設けられていることを特徴とする請求項２に記載の液体吐出装置。
【発明の詳細な説明】
【技術分野】
【０００１】
本発明は、インクジェット式記録装置、ディスプレー製造装置、電極形成装置、或いは、バイオチップ製造装置等、液体噴射ヘッドを用いて液体を液滴として吐出するための液体加圧方法、液体吐出装置、及び液体カートリッジに関する。
【背景技術】
【０００２】
従来、液体噴射ヘッドのノズルから液滴を吐出する液体吐出装置として、インクジェット式記録装置が知られている。
この種のインクジェット式記録装置（以下、記録装置という）には、特許文献１に開示されているようにメインタンクをキャリッジ以外の場所に搭載する、いわゆるオフキャリッジタイプの記録装置がある。
【０００３】
この種のものは、例えば、オフィス向け又は業務用に提供されるインクジェット式記録装置があり、比較的大量の印刷に対応させるために、大容量の各色のメインタンクを配備するようにしている。そして、液体噴射ヘッドとしての記録ヘッドが搭載されたキャリッジ上には複数のサブタンクが配置され、前記各メインタンクから各サブタンクに対してインク補給チューブを介してそれぞれ各色のインクを補給し、さらに各サブタンクからそれぞれ記録ヘッドに対してインクを供給するように構成されている。
【０００４】
上記の記録装置では、加圧ポンプを用いて各メインタンク内に収納されたインクパックを加圧することによりサブタンクを介してインクを供給するようにしている。
【特許文献１】特開平２０００−３５２３７９号公報
【発明の開示】
【発明が解決しようとする課題】
【０００５】
ところが、加圧ポンプを用いてメインタンク内に加圧空気を送る方式の場合、インクパック内のインク残量が少のときに加圧力が適正となるように設定され、その制御が必要であり、又、加圧に時間が掛かり、印字開始までの開始時間が長くなる。
【０００６】
又、加圧力は、インクエンド付近でインクを正常に送り込むことができるだけの高い値に設定されるのが一般的であり、従来はインクパックが新しい満充填の状態では不必要な加圧を行っている。
【０００７】
上記説明では記録装置を例に挙げたが、ディスプレー製造装置、電極形成装置、或いは、バイオチップ製造装置等の他の液体噴射ヘッドを用いて液体を液滴として吐出する液体吐出装置においても、加圧ポンプを用いて加圧空気を送り、液体パックを加圧する方式の場合、同様に加圧に時間が掛かる問題がある。
【０００８】
本発明の目的は、液体収容袋を加圧する場合、液体収容袋内の液体残量が少なくなるほど大きな加圧力が得られるとともにそのために特別な制御や、複雑な機構を用いず、かつ加圧時間を要することがなく液体収容袋に適正な加圧力を加えることができる液体加圧方法を提供することにある。
【０００９】
又、本発明の他の目的は、液体収容袋を加圧する場合、液体収容袋内の液体残量が少なくなるほど大きな加圧力が得られるとともにそのために特別な制御や、複雑な機構を用いず、かつ加圧時間を要することがなく液体収容袋に適正な加圧力を加えることができる、液体吐出装置及び液体カートリッジを提供することにある。
【課題を解決するための手段】
【００１０】
上記問題点を解決するために、本発明は、加圧部材により液体を収容する液体収容袋を加圧して該液体収容袋から液体を外部に供給する液体加圧方法において、前記加圧部材には磁力作用部を設け、前記液体収容袋を挟んで前記加圧部材と反対側には前記磁力作用部との間に磁界を発生させる吸引部材を配置し、前記加圧部材に設けられた磁力作用部を磁力によって前記吸引部材側へ吸引作動させることにより前記液体収容袋を加圧し、該液体収容袋の液体残量が少なくなるほど該液体収容袋への前記加圧部材の加圧力が増加することを特徴とする液体加圧方法を要旨とするものである。
【００１１】
なお、磁力作用部とは磁力の作用により吸引作動される部をいう。吸引部材とは前記加圧部材及び前記磁力作用部を磁力により吸引作動させる部材をいう。吸引部材は、固定されていてもよく、或いは磁力作用部と近接可能に移動可能としていてもよい。
【００１２】
例えば、磁力作用部と吸引部材の材質は、一方が磁石（永久磁石及び電磁石を含む。以下、この欄において同じ）で他方が強磁性体の金属にしてもよく、或いは両者を磁石にしてもよい。なお、両者が磁石の場合には互いに磁力により吸引させる必要があるため、対向する磁極は互いに異極となるように配置する。
【００１３】
又、液体収容袋は収納容積を連続的に可変する構成であればよく、その一例としては、可撓性、或いは折り畳み可能とする構成が挙げられる。例えば、液体収容袋の全体を可撓性を有するフイルムで形成したり、或いは、液体収容袋の一部を可撓性を有するフイルムで形成して、該フイルム部分を折り畳み可能とする。例えば、このようなものとしてはジャバラがある。又は、剛性を有する一対の板を相対させた状態でその周縁部を可撓性フイルムで互いに連結し、該可撓性フイルム部分で折り畳み可能に形成して液体収容袋を構成してもよい。
【００１４】
本発明によれば、加圧部材に設けられた磁力作用部に対して磁力による吸引により液体収容袋を加圧すると、磁力作用部と該磁力作用部を吸引する部材との距離が短くなり、該液体収容袋の液体残量が少なくなるほど該液体収容袋への前記加圧部材の加圧力が増加する。これは、磁力作用部を磁力により吸引する場合、磁力作用部と該磁力作用部を吸引する部材との間の距離に対して吸引力は反比例するためである。すなわち、磁力作用部と該磁力作用部を吸引する部材との距離が吸引により短くなればなるほど、磁力による吸引力、すなわち加圧力が増大する。
【００１５】
本発明によれば、液体収容袋を加圧する際、液体収容袋の液体残量が少なくなるほど該液体収容袋への前記加圧部材の加圧力が増加するとともにそのために特別な制御や、複雑な機構を用いず、かつ加圧時間を要することがない、又、本発明によれば、液体収容袋に適正な加圧力を加えることができる。
【００１６】
又、本発明では、液体タンク内に液体を収容する液体収容袋が配置され、前記液体収容袋が加圧されることにより前記液体を液体噴射ヘッドに供給する液体吐出装置において、前記液体タンク内には前記液体収容袋を加圧する加圧部材と磁力による吸引により前記加圧部材を前記液体収容袋を加圧する方向に作動させる磁力作用部材とが設けられ、前記磁力作用部材を磁力により吸引作動させる吸引部材を備えたことを特徴とする液体吐出装置を要旨とするものである。ここで、磁力作用部材とは、磁力の作用により吸引作動される部材をいう。
【００１７】
上記の液体吐出装置によれば、液体収容袋を加圧する場合、液体収容袋の液体残量が少なくなるほど該液体収容袋への前記加圧部材の加圧力が増加するとともにそのために特別な制御や、複雑な機構を用いず、かつ、加圧時間を要することがなく液体収容袋に適正な加圧力を加えることができる。
【００１８】
この場合、前記液体タンクは、前記液体収容袋、前記加圧部材、及び前記磁力作用部材を収納するカートリッジ本体を含む液体カートリッジと、該カートリッジ本体を着脱自在に保持するカートリッジホルダを含むことが好ましい。
【００１９】
上記構成によれば、液体カートリッジをカートリッジホルダに対して着脱自在にした液体吐出装置において、液体収容袋の液体残量が少なくなるほど該液体収容袋への前記加圧部材の加圧力を増加させることができる。又、そのために特別な制御や、複雑な機構を用いず、かつ加圧時間を要することがなく液体収容袋に適正な加圧力を加えることができる液体吐出装置を実現できる。
【００２０】
又、本発明は、カートリッジ本体が液体吐出装置に着脱可能とされ、該カートリッジ本体内に液体を収容する液体収容袋を備え、前記液体収容袋が加圧されることにより前記液体を液体吐出装置に供給する液体カートリッジにおいて、前記カートリッジ本体内には、前記液体収容袋を加圧する加圧部材と、磁力の作用により前記加圧部材を、前記液体収容袋を加圧する方向に作動させる磁力作用部材が設けられたことを特徴とする液体カートリッジを要旨とするものである。
【００２１】
上記液体カートリッジによれば、液体収容袋内の液体残量が少なくなるにつれ、液体収容袋には大きな加圧力が得られるため、特別な制御や複雑な機構を用いず、かつ加圧時間を要することがなく液体収容袋に対して適正な加圧力を付与できる液体カートリッジを実現できる。
【００２２】
又、この場合、前記磁力作用部材を磁石で構成してもよい。磁石は永久磁石又は電磁石にて構成してもよい。
このようにすれば、磁力作用部材を磁石にて構成することにより磁力による吸引動作を磁力作用部材に付与することができる。
【００２３】
又、前記加圧部材を液体収容袋を加圧する方向へ付勢する付勢部材を備えていてもよい。
このように構成した場合、液体収容袋が液体により満充填されている初期の加圧時においては、磁力作用部材と該磁力作用部材を吸引する部材間とは、液体残量が少ない時期とは異なり離間距離が長く、吸引力が弱い。しかし、付勢部材の付勢力がこれを補うようにして働くことにより加圧部材を介して液体収容袋を加圧することができる。なお、付勢部材は、コイルバネ等のバネやゴムや空気バネ等を挙げることができる。
【００２４】
なお、付勢部材は常時加圧部材を加圧するように設けてもよい。又は磁力作用部材が位置する領域が該磁力作用部材に作用する吸引力がないか弱い領域の場合、付勢部材の弾性力を働かせるように加圧部材に付勢部材を連係させ、前記吸引力が強い領域に磁力作用部材が位置した場合に、前記弾性力を利用しないように加圧部材と付勢部材の連係を解除するようにしてもよい。
【００２５】
このようにして、吸引力が加圧するのに十分な領域に磁力作用部材が位置するまでは付勢部材によって液体収容袋は加圧され、吸引力が加圧するのに十分な領域に磁力作用部材に入ると磁力による吸引力により液体収容袋を加圧することができる。
【００２６】
このようにして、上記構成によれば、液体収容袋が液体により満充填されている初期の加圧時においては、磁力作用部材に作用する吸引力（加圧力）が弱いが、付勢部材の付勢力がこれを補うようにして働くことにより加圧部材を介して液体収容袋を加圧できる。
【００２７】
この場合、前記加圧部材は、前記液体収容袋を間にするようにして該液体収容袋を挟圧自在に一対設けられ、一方の加圧部材には、前記磁力作用部材が設けられ、他方の加圧部材には、前記磁力作用部材を吸引する吸引部材が設けられていてもよい。
【００２８】
又、上記構成によれば、一対の加圧部材により液体収容袋を加圧することができる。
この場合、前記液体カートリッジを着脱自在に装着するカートリッジホルダを備えた液体吐出装置において、前記カートリッジホルダに、液体カートリッジの磁力作用部材を磁力により吸引する吸引部材を設けるようにしてもよい。
【００２９】
このようにすると、カートリッジホルダの吸引部材により液体カートリッジの磁力作用部材に対して磁力による吸引を行わせることができ、液体カートリッジに吸引部材を設けないため、液体カートリッジを構成する部品点数や組み付け工数を少なくでき、液体カートリッジの製造コストを低減することができる。
【００３０】
又、この場合、前記液体吐出装置における吸引部材を永久磁石としてもよい。このようにすると、吸引部材を永久磁石にすることにより電磁石にする場合に比して、電磁石にするための必要な電源やコイル等が必要でなくなり、製造コストの低減を実現できる。
【００３１】
又、この場合、前記液体吐出装置において、前記永久磁石は、カートリッジ本体の磁力作用部材に対して近位に位置する近位位置と前記磁力作用部材に対して遠位に位置する遠位位置を移動自在に配置され、前記液体収容袋を加圧する際には、近位位置に前記永久磁石を移動するとともに前記液体収容袋の非加圧時には、遠位位置に前記永久磁石を移動する移動手段を備えるようにしてもよい。
【００３２】
前記移動手段は、前記永久磁石によって磁力作用部材が吸引される方向と直交する方向に該永久磁石を回転移動させたり、或いは、直進移動させてもよい。或いは、該移動手段により前記永久磁石によって磁力作用部材が吸引される方向に沿って、該永久磁石を近位位置と遠位位置に移動させるようにしてもよい。又、磁力作用部材が吸引される方向と前記直交する方向を合成（ベクトル合成）した方向において、該移動手段により該永久磁石を近位位置と遠位位置に移動させるようにしてもよい。
【００３３】
このように構成すると、前記液体収容袋を加圧する際には、吸引部材としての永久磁石は移動手段により近位位置に移動される。この近位位置に永久磁石が移動していると、永久磁石の磁力がカートリッジ本体の磁力作用部材に対して吸引力として作用させることができる。
【００３４】
又、液体吐出装置の電源がオフされているときのように、液体を加圧させる必要がない時、すなわち、液体収容袋の非加圧時には、永久磁石が移動手段により遠位位置に移動されている。このため、磁力作用部材に対する永久磁石の磁力が弱まり、すなわち吸引力が抑制されるため、液体収容袋に対する加圧部材の加圧力を弱めることができる。この結果、液体収容袋の非加圧時おいて、液体収容袋に対する余分な加圧力を軽減させることができる。
【００３５】
又、液体カートリッジを着脱自在に装着するカートリッジホルダを備えた液体吐出装置において、前記カートリッジホルダに設けられた吸引部材を電磁石にしてもよい。
このようにすると、電磁石により液体カートリッジの磁力作用部材を吸引して、液体収容袋を加圧することができる。
【００３６】
又、液体吐出装置において、前記液体収容袋は前記液体タンクに対して交換自在に設けられていてもよい。
このようにすると、液体タンク内の液体収容袋が交換できるため、交換するための部品点数が少なくて済み、交換コストを低減できる。
【発明を実施するための最良の形態】
【００３７】
（第１実施形態）
以下、本発明の液体吐出装置をオフキャリッジタイプのインク供給系を有するインクジェット式記録装置に具体化した好適な第１実施形態を図１〜５を参照して説明する。
【００３８】
（概略構成）
まず、インクジェット式記録装置の概略について説明する。
図１に示すように、インクジェット式記録装置（以下、プリンタとする。）は、図示しないケースの中にプリンタ本体１１が設けられている。プリンタ本体１１は、フレーム１２とこのフレーム１２内に配設された紙送り部材１３とを備えており、図示しない紙送り機構により紙送り部材１３上に紙を搬送する。又、フレーム１２の右側板１２ａと左側板１２ｂとの間には、紙送り部材１３と平行にガイド部材１４が架設されており、このガイド部材１４にはキャリッジ１５が摺動可能に支持されている。このキャリッジ１５はタイミングベルト１６を介してフレーム１２の背板１２ｃに設けられたキャリッジモータ１７に接続されている。そして、キャリッジ１５はキャリッジモータ１７の駆動によりガイド部材１４に沿って往復移動されるようになっている。
【００３９】
又、キャリッジ１５には紙送り部材１３に対向する面に液体噴射ヘッドとしての記録ヘッド２０が搭載されている。さらに、キャリッジ１５には記録ヘッド２０に液体としてのインクを供給するサブタンク２１〜２４が搭載されている。本実施形態ではブラックインク、シアン、マゼンタ及びイエローの各インクに対応して、４個のサブタンク２１〜２４が配設されている。
【００４０】
記録ヘッド２０の下面には、図示しないノズル吐出口が形成されており、図示しない圧電素子の駆動により各インクをそれぞれ対応するノズル吐出口から紙に対して吐出し、印刷が行われる。
【００４１】
一方、フレーム１２の右端の非印刷領域である部位には液体タンク及びメインタンクとしてのインクカートリッジ部２５〜２８が設けられている。インクカートリッジ部２５〜２８には液体カートリッジとしてのインクカートリッジ２９〜３２及び該インクカートリッジ２９〜３２を着脱可能に搭載するカートリッジホルダ１９が設けられている。このインクカートリッジ部２５〜２８は使用されるインクの色数に対応しており、本実施形態は４個が設けられている。図２に示すようにインクカートリッジ２９〜３２の内部にはインクが貯留（収容）された液体収容袋としてのインクパック４０が設けられている。
【００４２】
そして、インクカートリッジ２９〜３２内に設けられた後述する加圧機構６０によるインクパック４０への加圧により可撓性のインク供給チューブ３４〜３７を介して、各サブタンク２１〜２４に対して、それぞれインクが供給される。
【００４３】
（インク供給系）
図２はプリンタ本体１１のインク供給系の構成を説明するための模式図である。なお、各インクカートリッジ２９〜３２及び各インク供給チューブ３４〜３７はそれぞれ同じ構造である。従って、説明の便宜上、サブタンク２１へインクを供給するためのインクカートリッジ２９に関するインク供給系について説明し、他のインクカートリッジ２６〜２８のインク供給系の説明は省略する。
【００４４】
（インクカートリッジ２９）
まずインクカートリッジ２９の構造を、図２〜図４を参照して説明する。図２に示すようにインクカートリッジ２９のカートリッジ本体５０は、ケース５０ａと、ケース５０ａ内の収納空間Ｋに収納されるインクパック４０と、インクパック４０を加圧する加圧機構６０が設けられている。ケース５０ａは略直方体状をなし、上壁には図２に示すように下方へ向かうテーパー面が形成されている。ケース５０ａ内の収容空間はケース壁面に内外を貫通する孔等の貫通部（図示しない）が形成されていることにより大気圧が付与されている。図４に示すようにケース５０ａはカートリッジホルダ１９に設けられたスロット１９ａに対して着脱自在に嵌合可能とされている。ケース５０ａは非磁性体から構成されている。例えば、ケース５０ａはポリプロピレン等の合成樹脂から形成される。
【００４５】
収納空間Ｋにおいて、ケース５０ａ上壁のテーパー面と対応する一端側には軸６１により加圧板６２が揺動自在に支持されている。前記加圧板６２と各インクカートリッジ２９のケース５０ａの底壁間に位置するようにインクパック４０がケース５０ａ内に配置されている。加圧板６２は剛性を有する板材からなる。加圧板６２は加圧部材に相当する。又、加圧板６２の自由端には磁力作用部材６３が一体に設けられている。磁力作用部材６３は強磁性体の金属からなる。なお、強磁性体の金属としては、例えば鉄、ニッケル、或いはコバルト等があり、これら、或いはこれらの合金から形成すればよい。磁力作用部材６３は磁力作用部に相当する。
【００４６】
又、図２に示すようにカートリッジホルダ１９において、磁力作用部材６３と相対するスロット１９ａの底部内面に吸引部材７０としての磁石が埋め込まれている。磁石は、永久磁石でもよく、或いは電磁石でもよい。この吸引部材７０はの磁力は磁力作用部材６３に対して吸引力として作用し、磁力作用部材６３を吸引部材７０側に接近させることにより加圧板６２を揺動させることが可能である。そして、この吸引力により加圧板６２を介してインクパック４０に対して加圧するようにされている。前記インクパック４０のインク袋４６は可撓性の素材から形成されており、ガスバリヤー性の向上のために、例えば外側をナイロンフィルム、内側をポリエチレンフィルムにより挟み込んだ構成のアルミニウムラミネートフィルムから扁平袋状に形成されている。
【００４７】
又、前記テーパー面を有する上壁と加圧板６２との間には付勢部材としてのコイルスプリング６４が介在配置され、加圧板６２を下方へ押圧（加圧）可能である。本実施形態では、コイルスプリング６４の一端はケース５０ａ上壁に対して取付け固定される一方、他端は加圧板６２に対しては接離可能に配置されている。すなわち、コイルスプリング６４は図２に示す加圧板６２の初期位置から所定の揺動範囲までは加圧板６２に対してその弾性力により加圧する方向へ付勢するとともに、前記所定の揺動範囲を超えた場合には、加圧板６２から離間するようにされている。なお、初期位置とはインクが満充填状態のインクパック４０を加圧するときの加圧板６２の位置である。
【００４８】
このようにしている理由は、本実施形態では、初期位置から前記所定の揺動範囲までは、吸引部材７０の磁界が弱いため磁力作用部材６３に作用する磁力（吸引力）が弱く、十分な加圧力が得られないためである。これを補うために、コイルスプリング６４により加圧力を加圧板６２を介してインクパック４０に対して付与するようにしている。そして、前記所定の揺動範囲を磁力作用部材６３が超えた場合には、磁界が強い領域に磁力作用部材６３が入るため、磁力作用部材６３に十分に磁力が作用し、加圧板６２を介してインクパック４０に対して加圧力が付与される。
【００４９】
なお、前記所定の揺動範囲は吸引部材７０の磁界の強さによるため、これに応じてコイルスプリング６４の弾性力が働く範囲が設定されている。
本実施形態では、加圧板６２、磁力作用部材６３、コイルスプリング６４により加圧機構６０が構成されている。
【００５０】
図２に示すように、ケース５０ａの底壁５０ｂにはインク供給チューブ３４を接続するための接続部５２が外方へ突出形成されている。又、図３（ｂ）に示すようにこの接続部５２の内端は前記インクパック４０に対して貫通して水密状に取付けされている。
【００５１】
図３（ｂ）に示すように接続部５２は略円筒状に形成され、内外を貫通する液体導出口としてのインク導出口５３が貫通形成されている。インク導出口５３は前記インクパック４０のインク貯留室４２に連通されて前記インク貯留室４２に貯留されたインクを外部に導出するために形成され、その内端側開口部にはバルブ５４が設けられるとともに外端側の開口部にはシール部材５５が配設されている。
【００５２】
シール部材５５にはチューブ用孔５６が貫通形成されている。チューブ用孔５６は、開口部側に設けられた大径部と該大径部よりも奥に設けられた小径部を有する。前記大径部はスロット１９ａの底部から突出された供給針１９ｂを嵌挿可能とされている。供給針１９ｂはインク供給チューブ３４と接続されている。
【００５３】
そして、前記小径部はバルブ５４を構成する弁体５７と当接するように配設されている。そして、弁体５７はスプリング５８によりインク導出口５３に形成された弁座５７ａに対して常時閉弁するように付勢された逆止弁とされている。
【００５４】
この弁体５７が閉弁された状態で、カートリッジホルダ１９に対してインクカートリッジ２９が図４の状態から図２に示すように装着され、インク供給チューブ３４と接続された供給針１９ｂが大径部に差し込まれると、供給針１９ｂの先端が弁体５７を押圧する。このようにスプリング５８の付勢力に抗して弁体５７が押圧されると弁体５７は小径部及び弁座５７ａから離間するため、インク導出口５３にインク貯留室４２からインクが導出可能とされている。
【００５５】
そして、図２に示すようにインクカートリッジ２９から導出されたインクはインク供給チューブ３４を介して、サブタンク２１に導入される。インク供給チューブ３４には、その途中にインク補給バルブ３４ａが設けられており、このインク補給バルブ３４ａが図示しない制御装置により開閉制御されることによりサブタンク２１へのインクの供給が制御される。
【００５６】
サブタンク２１には、内部にフロート部材２１ａが配設されており、フロート部材２１ａの一端には永久磁石２１ｂが取り付けられている。そして、ホール素子等からなる磁電変換素子２１ｃ，２１ｄが基板２１ｅに装着されて、サブタンク２１の側壁に配置されている。
【００５７】
前記磁電変換素子２１ｃ，２１ｄはフロート部材２１ａの浮上位置により変化する、永久磁石２１ｂによる磁力線量に応じた電気的出力を出力するようにされている。例えば、サブタンク２１内のインク量が少なくなった場合には、フロート部材２１ａの位置が重力方向の下方に移動し、これに伴い永久磁石２１ｂの位置も下方に移動する。このため、磁電変換素子２１ｃ，２１ｄの電気的出力はサブタンク２１内のインク量として感知することができ、インク量が少ないと感知した場合には図示しない制御装置によりインク補給バルブ３４ａが開弁される。
【００５８】
これによりインクカートリッジ２９内で加圧されたインクは、インク量が低下したサブタンク２１へ導出される。そして、サブタンク２１内のインク量が所定の容量に達した場合には、磁電変換素子２１ｃ，２１ｄの電気的出力に基づいて、図示しない制御装置によりインク補給バルブ３４ａが閉弁される。このようなインク補給バルブ３４ａの開閉の繰り返しによりサブタンク２１内へインクが補給され、サブタンク２１には常にほぼ一定のインクが貯留されるようにされている。
【００５９】
さて、上記のように構成されたプリンタの作用を説明する。なお、説明の便宜上、各インクカートリッジ２９〜３２の前記インクパック４０はインクが満充填されているものとする。
【００６０】
図２に示すように各インクカートリッジ２９〜３２がカートリッジホルダ１９に装着された状態では、加圧板６２は初期位置に位置する。この状態で、インク補給バルブ３４ａが開弁されると、コイルスプリング６４の弾性力によってインクパック４０が加圧されていることによりインクパック４０から接続部５２、インク補給バルブ３４ａ，インク供給チューブ３４を介してサブタンク２１にインクが供給される。そして、コイルスプリング６４によるこのような加圧は、加圧板６２の初期位置から所定の揺動範囲まで行われる。
【００６１】
そして、磁力作用部材６３が前記所定の揺動範囲を超えると、吸引部材７０の磁界が強い領域に入るため、以後は、吸引部材７０の磁力による磁力作用部材６３の吸引によって加圧板６２を介してインクパック４０の加圧が行われる。このようにして、インクパック４０のインク残量が少なくなると、磁力作用部材６３は吸引部材７０との離間距離が短くなるため、その磁力により吸引、すなわち、インクパック４０への加圧力が増大する。
【００６２】
これは、磁力作用部材６３と該磁力作用部材６３を吸引する吸引部材７０との間の距離に対して吸引力は反比例するためである。このようにして、インク残量（液体残量）が少なくなればなるほど、インクパック４０への加圧力を増加させることができる。
【００６３】
上記のように構成されたインクカートリッジ及びプリンタによれば、以下のような効果を得ることができる。
（１）  本実施形態では、磁力作用部材６３を磁力によって吸引作動させることにより加圧板６２（加圧部材）を介してインクパック４０（液体収容袋）を加圧し、インクパック４０のインク残量（液体残量）が少なくなるほどインクパック４０への加圧板６２の加圧力を増加するようにした。
【００６４】
この結果、インクパック４０を加圧する場合、インクパック４０のインク残量が少なくなるほどインクパック４０のへの加圧板６２の加圧力が増加するとともにそのために特別な制御や、複雑な機構を用いずにインクパック４０に適正な加圧力を加えることができる。
【００６５】
図５は一般的なインクジェット式記録装置におけるインクパックの吸引動圧をインクパックのインク残量に応じて測定した結果の一例を示している。同図に示すようにインクの使い始め（この測定例ではインク残量１６ｇ）では、吸引動圧は０Ｋｐａ近辺で、インク残量４ｇ程度までは、インクパックに対して特別な加圧を必要としないレベルである。それに対して、インク残量が４ｇ程度以下になると、インク残量に応じてインクパックを加圧する必要がある。
【００６６】
従って、本実施形態の加圧方法では、インク残量が少なくなればなるほど、インクパックに対する加圧力が増加するため、上記のインクジェット式記録装置に適用できることが分かる。
【００６７】
（２）  なお、従来の技術において、加圧ポンプを用いてメインタンク内に加圧空気を送る方式の場合、インクパック内のインク残量が少のときに加圧力が適正となるように設定されているため、その加圧力を制御する制御装置が必要であり、又、加圧に時間が掛かる問題があることは既に説明した。
【００６８】
さらに、従来のプリンタでは複数の色毎に用意された各インクパックのインク残量に応じて加圧力を細かく設定して各インクパック共通の加圧ポンプにて制御する場合、加圧力を低くできる。しかし、複数のインクパックを用いる場合は加圧ポンプが各インクパックに共通して使用されているため、一番少ないインクに合わせた加圧力（すなわち、高い加圧力）に設定されることとなり、加圧時間が短くなる効果が発揮できないものとなる。
【００６９】
それに対して、複数のインクパック４０を備えた本実施形態では、各インクパック４０を加圧する加圧機構６０を有するため、加圧ポンプや該加圧ポンプを制御する制御装置が必要でなく、インク残量が少なくなればなるほど、加圧力が増加して適正な加圧力をインクパック４０に加えることができる。さらに、本実施形態によれば、加圧ポンプで加圧する時間がないため、印字開始までの時間を短くすることができる。
【００７０】
又、本実施形態によれば、各インクパック４０毎に各インクパック４０内のインク残量に応じて加圧力を適正な大きさにできる効果がある。
（３）  本実施形態のプリンタは、インクカートリッジ部２５〜２８（液体タンク）内にはインクパック４０（液体収容袋）を加圧する加圧板６２（加圧部材）と、磁力による吸引により加圧板６２をインクパック４０を加圧する方向に作動させる磁力作用部材６３が設けられ、磁力作用部材６３を磁力により吸引作動させる吸引部材７０が設けられている。
【００７１】
この結果、上記プリンタによれば、インクパック４０を加圧する場合、インクパック４０のインク残量が少なくなるほどインクパック４０への加圧板６２の加圧力が増加するとともにそのために特別な制御や、複雑な機構を用いずにインクパック４０に適正な加圧力を加えることができる装置が実現できる。
【００７２】
（４）  本実施形態のプリンタでは、インクカートリッジ部２５〜２８（液体タンク）は、インクパック４０、加圧板６２及び磁力作用部材６３を収納するカートリッジ本体５０を含むインクカートリッジ２９〜３２（液体カートリッジ）と、カートリッジ本体５０を着脱自在に保持するカートリッジホルダ１９を備えるようにした。この結果、インクカートリッジ２９〜３２をカートリッジホルダ１９に対して着脱自在にしたプリンタにおいて、インクパック４０のインク残量が少なくなるほどインクパック４０へ加圧板６２の加圧力を増加させることができるプリンタを実現できる。
【００７３】
（５）  本実施形態のインクカートリッジ２９〜３２では、カートリッジ本体５０内にインクパック４０を加圧する加圧板６２と、磁力の作用により加圧板６２をインクパック４０を加圧する方向に作動させる磁力作用部材６３が設けられている。この結果、本実施形態のインクカートリッジ２９〜３２によれば、インクパック４０内のインク残量が少なくなるにつれ、インクパック４０には大きな加圧力が得られるため、特別な制御や複雑な機構を用いずに、インクパック４０に対して適正な加圧力を付与できるインクカートリッジ２９〜３２を実現できる。
【００７４】
（６）  本実施形態のインクカートリッジ２９〜３２は、加圧板６２をインクパック４０を加圧する方向へ付勢するコイルスプリング６４（付勢部材）を備えるようにした。
このように構成した場合、インクパック４０がインクにより満充填されている初期の加圧時においては、磁力作用部材６３と該磁力作用部材６３を吸引する吸引部材７０間は、インク残量が少なくなっている時期とは異なり離間距離が長く、吸引力が弱い。しかし、コイルスプリング６４の付勢力がこれを補うようにして働くことにより加圧板６２を介してインクパック４０を加圧することができる。
【００７５】
（７）  又、本実施形態では、磁力作用部材６３が位置する領域が該磁力作用部材６３に作用する吸引力がないか弱い領域の場合、コイルスプリング６４の弾性力を働かせるように加圧板６２にコイルスプリング６４を連係させるようにした。さらに、前記吸引力が強い領域に磁力作用部材６３が位置した場合に、前記弾性力を利用しないように加圧板６２とコイルスプリング６４の連係を解除するようにした。この結果、本実施形態では、吸引力が加圧するのに十分な領域に磁力作用部材６３が位置するまではコイルスプリング６４によってインクパック４０は加圧され、吸引力が加圧するのに十分な領域に磁力作用部材６３に入ると磁力による吸引力によりインクパック４０を加圧することができる。
【００７６】
（８）  本実施形態のプリンタは、カートリッジホルダ１９に対して、インクカートリッジ２９〜３２（液体カートリッジ）の磁力作用部材６３を磁力により吸引する吸引部材７０を設けるようにした。
【００７７】
この結果、カートリッジホルダ１９の吸引部材７０によりインクカートリッジ２９〜３２の磁力作用部材６３に対して磁力による吸引を行わせることができ。さらに、インクカートリッジ２９〜３２に吸引部材７０を設けないため、インクカートリッジ２９〜３２を構成する部品点数や組み付け工数を少なくでき、インクカートリッジ２９〜３２を低コストに製造することができる。
【００７８】
（９）  本実施形態のプリンタは、吸引部材７０を永久磁石により構成した。この結果、吸引部材７０を永久磁石にすることにより電磁石にする場合に比して、電磁石にするために必要な電源やコイル等が必要でなくなり、プリンタの製造コストの低減を実現できる。
【００７９】
（第２の実施形態）
次に、本発明を具体化した第２の実施形態を図６に参照して説明する。
なお、第２の実施形態は第１の実施形態のインクカートリッジ２９〜３２の構成を変更した構成であるため、第１実施形態と同一構成又は相当する構成については同一符号を付してその詳細な説明を省略する。なお、図６では、インクカートリッジ２９〜３２の構成は同一であるため、インクカートリッジ２９のみ図示されている。
【００８０】
図６に示すように第２実施形態では、インクカートリッジ２９のケース５０ａは、平面視した状態で左右対称に形成されている。そして、ケース５０ａの左右両側壁の一部は、図６に示すように一端側へ向かうほど両側壁間の距離が短くなるようにテーパー面を有する。
【００８１】
ケース５０ａ内において、前記一端側に支持された軸６１には一対の加圧部材としての加圧板６２が互いに相対するように揺動自在に支持されている。両加圧板６２間には、インクパック４０が配置され、両加圧板６２により加圧可能とされている。各加圧板６２とケース５０ａの内側面間にはそれぞれ付勢部材としてのコイルスプリング６４が配置され、各加圧板６２を互いに接近させるように付勢されている。なお、第２実施形態においても第１実施形態と同様に、コイルスプリング６４の一端はケース５０ａの内側面に対して取付け固定される一方、他端は加圧板６２に対しては接離可能に配置されている。コイルスプリング６４の他端を加圧板６２に対して接離可能にした構成は、第１実施形態と同じ理由である。又、一方の加圧板６２の自由端には強磁性体の金属で形成される磁力作用部材６３が取付される。又、他方の加圧板６２の自由端には磁石で形成される吸引部材７０が固定されている。そして、吸引部材７０と磁力作用部材６３とは磁力により、互いに吸引されることにより、両加圧板６２を介してインクパック４０を加圧する。なお、ケース５０ａ及びインクパック４０に設けられる接続部５２は、図６に示すようにインクカートリッジ２９の底部（同図において、紙面裏側）に設けられる。又、第２実施形態では、第１実施形態とは異なりカートリッジホルダ１９の吸引部材７０は省略される。
【００８２】
第２実施形態においても、各インクカートリッジ２９等がカートリッジホルダ１９に装着された状態では、加圧板６２は初期位置に位置する状態から所定の揺動範囲までは、主にコイルスプリング６４によりインクパック４０に対して加圧が行われる。そして、磁力作用部材６３が前記所定の揺動範囲を超えると、吸引部材７０の磁界が強い領域に入るため、以後は、吸引部材７０の磁力による磁力作用部材６３の吸引によって加圧板６２を介してインクパック４０の加圧が行われる。このようにして、インクパック４０のインク残量が少なくなると、磁力作用部材６３は吸引部材７０との離間距離が短くなるため、その磁力により吸引、すなわち、インクパック４０への加圧力が増大する。このようにして、インク残量（液体残量）が少なくなればなるほど、インクパック４０への加圧力を増加させることができる。
【００８３】
（第３実施形態）
次に、本発明を具体化した第３実施形態を図７及び図８を参照して説明する。
なお、第３実施形態の構成中、第１実施形態と同一構成又は相当する構成については同一符号を付して重複説明を省略し、第１実施形態と異なる構成を中心に説明する。
【００８４】
第３実施形態では、第１実施形態の液体カートリッジとしてのインクカートリッジ２９〜３２の構成が異なっている。インクカートリッジ２９〜３２は同一構成であるため、以下には、インクカートリッジ２９の構成について説明する。
【００８５】
図８に示すように、インクカートリッジ２９のケースは有底四角箱状の収納ケース１００と、該収納ケース１００の上部開口部を着脱自在に閉塞する略長方形板状の蓋板１１０とから構成されるとともに全体が略直方体状に形成されている。蓋板１１０の内面周縁には該周縁よりも内側の部位において内枠部１１２が四角枠状に形成されている。内枠部１１２が収納ケース１００の上部開口部に対して着脱自在に嵌合されている。
【００８６】
本実施形態のインクパック４０は、インク袋４６とインク袋４６の一端側に設けられたインク取り出し口４７とを備える。インク袋４６は第１実施形態と同様に可撓性の素材から形成されており、ガスバリヤー性の向上のために、例えば外側をナイロンフィルム、内側をポリエチレンフィルムにより挟み込んだ構成のアルミニウムラミネートフィルムから形成されている。そして、インク袋４６は、これら２枚の略長方形形状のアルミニウムラミネートフィルムを重ね合わせて、それらの周囲を熱溶着等の方法によって接合することにより形成され、内部にインクを貯留している。インク取り出し口４７には例えばプラスチックにより形成された筒部４８が設けられている。該筒部４８はインク袋４６の２枚のアルミニウムラミネートフィルムの接合部分のうちの一部に熱溶着等の方法によって取り付けられ、インク袋４６の内部のインクを外部に導出可能に取り付けられている。
【００８７】
又、インク取り出し口４７は、取り出し口ゴム４９を備え、取り出し口ゴム４９は、筒部４８内に嵌合されている。そして、この取り出し口ゴム４９によってインク袋４６内のインクを封止するようになっている。
【００８８】
前記収納ケース１００の一端面には突部５１が設けられている。そして、突部５１には、前記インクパック４０のインク取り出し口４７が着脱自在に嵌合可能となっており、インクパック４０はインク取り出し口４７を突部５１に嵌合させることにより収納ケース１００内に収容される。又、突部５１には、インクパック４０のインク取り出し口４７と対向する位置にインク供給孔５１ａが貫通形成されている。
【００８９】
そして、図７に示すようにインクカートリッジ２９は、収納ケース１００にインクパック４０を収容した後に、加圧板６２が収納され、蓋板１１０が収納ケース１００に嵌合されることにより、収納ケース１００の上部開口が閉塞される。
【００９０】
そして、本実施形態では加圧板６２はケース内において、インクパック４０を加圧する際に加圧板６２と協働して挟圧する収納ケース１００の内側平面に対して垂直移動自在される。すなわち、加圧板６２は平行移動自在に配置されている。なお、加圧板６２を平行移動させるために、収納ケース１００の側壁内面にガイド溝１００ａが設けられている。そして、そのガイド溝１００ａに対して加圧板６２の両側部から突出された複数のガイド突部６２ａが係合することにより加圧板６２はガイドされる。
【００９１】
図８に示すように蓋板１１０には、収納ケース１００内を大気開放するための貫通孔１１０ａが形成されるとともに、その裏面には複数のコイルスプリング６４が取付されている。すなわち、各コイルスプリング６４の一端は蓋板１１０の裏面に対して固定され、他端は加圧板６２に対して接離可能に当接されている。なお、コイルスプリング６４の他端を加圧板６２に対して接離自在に設ける理由は、第１実施形態と同様である。
【００９２】
又、加圧板６２の四方周縁には、複数の磁力作用部材６３が取付けされている。磁力作用部材６３は強磁性体の金属からなる。例えば加圧板６２の形状が四角板の場合には、その四方周縁にそれぞれ磁力作用部材６３が取付されている。なお、加圧板６２全体を磁力作用部材として形成してもよい。
【００９３】
又、図８に示すようにインクパック４０を間にするようにして加圧板６２と反対側に位置する収納ケース１００の側壁外面の四方周縁には、各磁力作用部材６３に対応するように磁石からなる吸引部材７０が埋設されている。なお、吸引部材７０の埋設部位は各磁力作用部材６３に対応する部位である収納ケース１００の側壁内面でもよい。
【００９４】
このように液体タンクとしてのインクカートリッジ部２５〜２８を構成するインクカートリッジ２９〜３２を、プリンタのカートリッジホルダ（図示しない）の供給針に対し突部５１を対向させて嵌合させる。すると、カートリッジホルダに設けられた供給針（図示しない）がインクパック４０のインク取り出し口４７に備えられている取り出し口ゴム４９を貫き、プリンタのインク供給チューブ３４に接続される。このようにインクパック４０が接続されることによりプリンタに対してインクを供給可能とされている。
【００９５】
このように構成された第３実施形態のインクカートリッジ２９を装着できるプリンタは、第１実施形態の（１）、（５）〜（７）の効果を奏する以外に下記の特徴がある。
（１）  本実施形態では、プリンタにおいて、インクパック４０（液体収容袋）はインクカートリッジ部２５〜２８（液体タンク）に対して交換自在に設けられている。すなわち、インクカートリッジ２９〜３２は、収納ケース１００に対して蓋板１１０が着脱自在とされているため、インクパック４０を交換可能である。この結果、インクカートリッジ部２５〜２８（液体タンク）内のインクパック４０を交換できるため、インクパック４０をインクカートリッジ２９〜３２ごと交換する場合よりも、交換するための部品点数が少なくて済み、交換コストを低減できる。
【００９６】
（第４実施形態）
次に、本発明を具体化した第４実施形態を図９を参照して説明する。
なお、第４実施形態は、第１実施形態のインクカートリッジの構成を変更したのみの構成であるため、第１実施形態と同一構成及び相当する構成については、同一符号を付して重複説明を省略する。
【００９７】
第１実施形態では図２に示すように永久磁石からなる吸引部材７０をカートリッジホルダ１９の底部内面に埋め込みしたが、第４実施形態では図９に示すようにカートリッジホルダ１９底部外面に対して直進移動自在に配置したところが異なっている。具体的には、吸引部材７０は移動手段としてのソレノイド１２０のプランジャに連結されている。ソレノイド１２０は、プリンタの電源のオンオフに応じて励消磁されるようにされている。そして、プリンタの電源がオンされると、ソレノイド１２０が励磁されることによりプランジャ１２２が、磁力作用部材６３を吸引する方向に沿って吸引部材７０を直進移動させ、この結果、吸引部材７０は磁力作用部材６３に対して近い位置である近位位置（図９の実線位置）に配置される。又、プリンタの電源がオフされると、ソレノイド１２０が消磁されることによりプランジャ１２２が復帰のために直線的に作動され、この結果、吸引部材７０は磁力作用部材６３に対して遠い位置である遠位位置（図９の二点鎖線で示す位置）に配置される。
【００９８】
このようにして、本実施形態では、プリンタの電源がオンされるとき、すなわち、インクパック４０を加圧する印字時には、吸引部材７０は磁力作用部材６３の近位位置に配置され、インクパック４０を加圧しない非加圧時には遠位位置に配置される。
【００９９】
このように構成された第４実施形態のプリンタは下記の特徴がある。
（１）  本実施形態では、吸引部材７０を永久磁石とするとともに、カートリッジ本体５０の磁力作用部材６３に対して近位に位置する近位位置と前記磁力作用部材に対して遠位に位置する遠位位置を移動自在に配置した。
【０１００】
そして、インクパック４０を加圧する際には、近位位置に永久磁石からなる吸引部材７０を移動するとともにインクパック４０の非加圧時には遠位位置に移動するソレノイド１２０（移動手段）を備えるようにした。
【０１０１】
この結果、インクパック４０を加圧する際には、永久磁石からなる吸引部材７０はソレノイド１２０により近位位置に移動される。この近位位置に吸引部材７０が移動していると、吸引部材７０の磁力がカートリッジ本体５０の磁力作用部材６３に対して吸引力として作用させることができる。
【０１０２】
又、プリンタの電源がオフされているときのように、インクを加圧させる必要がない時、すなわち、インクパック４０の非加圧時には、吸引部材７０がソレノイド１２０により遠位位置に移動されている。このため、磁力作用部材６３に対する吸引部材７０の磁力が弱まり、すなわち吸引力が抑制されるため、インクパック４０に対する加圧板６２の加圧力を弱めることができる。この結果、インクパック４０の非加圧時おいて、インクパック４０に対する余分な加圧力を軽減させることができる。
【０１０３】
なお、本発明は前記実施形態に限定されるものではなく、下記のように変更してもよい。
○  第１実施形態では、加圧部材を加圧板６２により構成したが、板状の他に、剛性を有していれば、インクパック４０を加圧するのに支障がない間隔を有した格子状の部材にしてもよい。このように構成すれば加圧部材が軽量化できる。
【０１０４】
○  第１実施形態では、コイルスプリング６４を加圧板６２が初期位置から所定の揺動範囲まで加圧板６２に対して当接するようにしたが、コイルスプリング６４を加圧板６２に対して常時加圧するように当接させてもよい。
【０１０５】
○  コイルスプリング６４の代わりに、板バネや、弦巻バネや、空気バネにて構成してもよく、或いは、付勢部材としてゴムにより構成してもよい。
○  第１実施形態では、磁力作用部材６３を強磁性体の金属で形成したが、磁石で構成してもよい。そして、吸引部材７０も磁石で構成する場合には、磁力作用部材６３と吸引部材７０は異極同士が対向するようにして配置し、磁力作用部材６３が磁力により吸引部材７０に吸引されるようにする。
【０１０６】
又、磁力作用部材６３を磁石で構成する場合、吸引部材７０を強磁性体の金属で構成するようにしてもよい。
○  第１実施形態では、吸引部材７０を永久磁石により構成したが、電磁石により構成してもよい。
【０１０７】
○  第１実施形態では、インクパック４０は、扁平袋状にしたが、インクパック４０の形状は扁平袋状に限定するものではなく、直方体形状や立方体形状等の他の形状であってもよい。
【０１０８】
○  第１実施形態及び第２実施形態では、加圧機構６０を加圧板６２、磁力作用部材６３、コイルスプリング６４により構成したが、前記初期位置から吸引部材７０の磁界が強い場合は、磁力作用部材６３に作用する磁力（吸引力）が強くなるため、コイルスプリング６４を省略することもできる。この場合は、加圧機構６０は、加圧板６２、及び磁力作用部材６３により構成される。
【０１０９】
又、第１実施形態及び第２実施形態の構成中、加圧板６２や磁力作用部材６３の重さを重くすることにより該重さがインクパック４０への加圧力に寄与することができる場合は、コイルスプリング６４等の付勢部材を省略してもよい。
【０１１０】
○  第１乃至第３実施形態では、磁力作用部材６３を加圧板６２とは別部材として設けたが、加圧板６２全体を例えば強磁性体としたり、或いは磁石としてもよい。この場合、磁力作用部材（磁力作用部）は加圧部材と兼用することとなる。
【０１１１】
○  前記各実施形態では、プリンタに具体化したが、ディスプレー製造装置、電極形成装置、或いは、バイオチップ製造装置等の他の液体噴射ヘッドを用いて液体を液滴として吐出する液体吐出装置に具体化してもよい。
【０１１２】
○  第３実施形態では、インクパック４０（液体収容袋）はインクカートリッジ部２５〜２８（液体タンク）に対して交換自在に設けたが、インクカートリッジを有しない液体タンクに対してインクパックを交換可能にしてもよい。
【０１１３】
○  第４実施形態では、移動手段は、ソレノイド１２０にて構成して、磁力作用部材６３を吸引する方向に沿って吸引部材７０を直進移動させたが、磁力作用部材６３が吸引される方向と直交する方向に該永久磁石を回転移動させたり、直進移動させてもよい。
【０１１４】
或いは、カム機構等を使用して磁力作用部材６３が吸引される方向と前記直交する方向を合成（ベクトル合成）した方向において、ソレノイド等の移動手段により該永久磁石からなる吸引部材７０を近位位置と遠位位置に移動させるようにしてもよい。
【０１１５】
○  各実施形態において、インクカートリッジ内に磁力作用部材や吸引部材を電磁石で構成する場合、カートリッジ本体５０等に該電磁石に電気的に接続するための接続端子を設け、カートリッジホルダ１９には、該接続端子に電気的に接続するための電極を設けるようにすればよい。
【図面の簡単な説明】
【０１１６】
【図１】第１実施形態のプリンタ本体の模式平面図。
【図２】プリンタ本体１１のインク供給系の構成を説明するための模式図。
【図３】（ａ）はカートリッジ本体５０とカートリッジホルダ１９の概略断面図、（ｂ）は接続部５２の断面図。
【図４】カートリッジ本体５０をカートリッジホルダ１９と分離した状態の概略断面図。
【図５】一般的なインクジェット式記録装置におけるインクパックの吸引動圧をインクパックのインク残量に応じて測定したインク残量と吸引動圧の特性図。
【図６】第２実施形態のカートリッジ本体５０とカートリッジホルダ１９の概略平断面図。
【図７】第３実施形態のカートリッジ本体５０とカートリッジホルダ１９の概略平断面図。
【図８】同じく第３実施形態のインクカートリッジ分解斜視図。
【図９】第４実施形態のカートリッジ本体５０とカートリッジホルダ１９の概略断面図。
【符号の説明】
【０１１７】
１９…カートリッジホルダ、２０…記録ヘッド（液体噴射ヘッド）、２５〜２８…インクカートリッジ部（液体タンク）、２９〜３２…インクカートリッジ、４０…インクパック（液体収容袋）、５０…カートリッジ本体、６０…加圧機構、６２…加圧板（加圧部材）、６４…コイルスプリング（付勢部材）、６３…磁力作用部材（磁力作用部）、７０…吸引部材、１２０…ソレノイド（移動手段）。
【図１】
2007253457.tif 000003
【図２】
2007253457.tif 000004
【図３】
2007253457.tif 000005
【図４】
2007253457.tif 000006
【図５】
2007253457.tif 000007
【図６】
2007253457.tif 000008
【図７】
2007253457.tif 000009
【図８】
2007253457.tif 000010
【図９】
2007253457.tif 000011